(57)【要約】【課題】  被梱包物と一緒に他の物品を同梱することができ、組立て及び封緘作業を容易に行うことができる梱包ケースを提供すること。【解決手段】  シート材により形成された箱体で、後方壁の上端を基端として開閉する上蓋と、前方壁の上端を基端として折り曲げられ上蓋と隙間を介して形成された内蓋を備え、該内蓋の上面に物品を載置可能な梱包ケースであって、上蓋の両側端には、該両側端から垂下し上蓋と略平行な下辺が箱体の側壁内側に挿入されるフラップを備え、該フラップの後端部には、下辺より下方に突出する突出部が延設されており、該突出部は、上蓋が起立している状態で側壁の内側に位置することを特徴とする梱包ケースとする。【選択図】  図１
2010208661.tif 000002
【特許請求の範囲】
【請求項１】
シート材により形成された箱体で、後方壁の上端を基端として開閉する上蓋と、前方壁の上端を基端として折り曲げられ前記上蓋と隙間を介して形成された内蓋を備え、該内蓋の上面に物品を載置可能な梱包ケースであって、
前記上蓋の両側端には、該両側端から垂下し前記上蓋と略平行な下辺が前記箱体の側壁内側に挿入されるフラップを備え、
該フラップの後端部には、前記下辺より下方に突出する突出部が延設されており、
該突出部は、前記上蓋が起立している状態で前記側壁の内側に位置することを特徴とする梱包ケース。
【請求項２】
前記内蓋の先端部の両側端には、夫々前記側壁の内側に接する掛止突起が突設されていることを特徴とする請求項１に記載の梱包ケース。
【請求項３】
前記内蓋が、前記前方壁の上端でのみ折り曲げられ、前記箱体内部後方に向かって下方に傾斜して設けられていることを特徴とする請求項１又は２に記載の梱包ケース。
【請求項４】
前記シート材が段ボールシートであることを特徴とする請求項１乃至３の何れかに記載の梱包ケース。
【発明の詳細な説明】
【技術分野】
【０００１】
本発明は、シート材によって形成され、内部に物品を載置する内蓋を有する梱包ケースに関するものである。
【背景技術】
【０００２】
一般に、段ボールシート等のシート材を折り曲げることにより形成され、上面を上蓋として開閉し、内部に物品（被梱包物）を梱包する梱包ケースが広く利用されており、特に上蓋の一辺を基端部として開閉され、その対辺に挿入部が設けられて、開口した上面の内側に挿入部を挿入して封緘するものが多く存在する（例えば特許文献１参照）。
【０００３】
上記のような梱包ケースでは、開口部の強度向上や上蓋の密閉性向上のため、箱体の側壁上端或いは上蓋の両側端にフラップが設けられているものがある（例えば特許文献2参照）。
【０００４】
しかし、強度向上や密閉性向上のためフラップが設けられたものは、封緘作業においてフラップを上手く箱体に挿入できなかったり、フラップが拡がってしまったりして作業性が悪いといった問題があった。
【０００５】
また、被梱包物の付属品等の物品を同梱するための内蓋が内部に形成されている梱包ケースにおいて、内蓋がシート材の折り曲げによって形成されている場合、折り曲げられている内蓋が復元しようとする等して、組立てや封緘作業の妨げとなることもある。
【先行技術文献】
【特許文献】
【０００６】
【特許文献１】実用新案登録第３１４７６８６号公報
【特許文献２】実開平６−８７２２３号公報
【発明の概要】
【発明が解決しようとする課題】
【０００７】
本発明が解決しようとする課題は、被梱包物と一緒に他の物品を同梱することができ、組立て及び封緘作業を容易に行うことができる梱包ケースを提供することである。
【課題を解決するための手段】
【０００８】
請求項１に係る発明は、シート材により形成された箱体で、後方壁の上端を基端として開閉する上蓋と、前方壁の上端を基端として折り曲げられ前記上蓋と隙間を介して形成された内蓋を備え、該内蓋の上面に物品を載置可能な梱包ケースであって、前記上蓋の両側端には、該両側端から垂下し前記上蓋と略平行な下辺が前記箱体の側壁内側に挿入されるフラップを備え、該フラップの後端部には、前記下辺より下方に突出する突出部が延設されており、該突出部は、前記上蓋が起立している状態で前記側壁の内側に位置することを特徴とする梱包ケースに関する。
【０００９】
請求項２に係る発明は、前記内蓋の先端部の両側端には、夫々前記側壁の内側に接する掛止突起が突設されていることを特徴とする請求項１に記載の梱包ケースに関する。
【００１０】
請求項３に係る発明は、前記内蓋が、前記前方壁の上端でのみ折り曲げられ、前記箱体内部後方に向かって下方に傾斜して設けられていることを特徴とする請求項１又は２に記載の梱包ケースに関する。
【００１１】
請求項４に係る発明は、前記シート材が段ボールシートであることを特徴とする請求項１乃至３の何れかに記載の梱包ケースに関する。
【発明の効果】
【００１２】
請求項１に係る発明によれば、シート材により形成された箱体で、後方壁の上端を基端として開閉する上蓋と、前方壁の上端を基端として折り曲げられ上蓋と隙間を介して形成された内蓋を備え、該内蓋の上面に物品を載置可能な梱包ケースであって、上蓋の両側端には、該両側端から垂下し上蓋と略平行な下辺が箱体の側壁内側に挿入されるフラップを備え、該フラップの後端部には、下辺より下方に突出する突出部が延設されており、該突出部は、上蓋が起立している状態で側壁の内側に位置することにより、突出部を側壁内側に引っ掛けてフラップを倣わせて側壁内側へ挿入することができるので、容易に封緘作業が行える。
【００１３】
請求項２に係る発明によれば、内蓋の先端部の両側端には、夫々側壁の内側に接する掛止突起が突設されていることにより、掛止突起によって内蓋が開かず安定して形成されるので、容易に組み立てでき、封緘作業の妨げになることもない。また、上蓋を閉じる時にはフラップで掛止突起を抑えることにより、内蓋をさらに安定させて梱包することができる。
【００１４】
請求項３に係る発明によれば、内蓋が、前方壁の上端でのみ折り曲げられ、箱体内部後方に向かって下方に傾斜して設けられていることにより、一度の折り曲げで内蓋を形成することができ組み立てが容易である。また、内蓋が傾斜しているので厚みのある付属品であっても同梱することができる。
【００１５】
請求項４に係る発明によれば、シート材が、段ボールシートであることにより、軽量で容易に折り曲げることができ作業性が良く且つ十分な強度の梱包ケースとすることができる。
また、不要となった後にはリサイクルも可能であり環境面においても優れる。
【図面の簡単な説明】
【００１６】
【図１】本発明に係る梱包ケースの一実施形態を示す斜視図である。
【図２】本発明に係る梱包ケースの一実施形態を示す展開図である。
【図３】本発明に係る梱包ケースの一実施形態を示す側面視中央断面図である。
【図４】本発明に係る梱包ケースの内蓋を開放した状態を示す平面図である。
【発明を実施するための形態】
【００１７】
以下、本発明に係る梱包ケースの好適な実施形態について、図面を参照しつつ説明する。
図１は、本発明に係る梱包ケースの一実施形態を示す斜視図である。
図２は、本発明に係る梱包ケースの一実施形態を示す展開図である。
図２において実線は外形線及び切線を示し、一点鎖線は紙面手前に谷折りする折曲げ線を示す。
図１に示す梱包ケース（１）は、図２に示す１枚のシート材（１０）を折曲げ線に沿って折り曲げることにより組み立てられて形成される。
なお、本発明に係る梱包ケースは、本実施形態では１枚のシート材（１０）により形成されているが、これに限定されるものではなく、複数枚のシート材の組み合わせによって形成されていても良い。
【００１８】
シート材（１０）は、板紙や樹脂薄板等特に限定されないが、段ボールシートであることが好ましい。
軽量で容易に折り曲げることができ作業性が良く、且つ十分な強度を得ることができるからである。
また、不要となった後にはリサイクルや焼却処理も可能であり環境面において優れるからでもある。
【００１９】
梱包ケース（１）は図１に示すように、直方体状の箱体に形成されており、後方壁（２）の上端を基端として開閉する上蓋（３）を備えており、上蓋（３）の先端に形成された挿入部（３１）が、前方壁（４）の上端に形成された被挿入部（４１）に挿入されて閉蓋する。
前方壁（４）の上端中央部には、切り欠き（４２）が形成されており、上蓋（３）を開放する時に、被挿入部（４１）に挿入された挿入部（３１）を押し上げ易くなっている。
【００２０】
図３に、梱包ケース（１）の側方中央断面図を示す。
図１及び３に示すように、上蓋（３）の両側端には、該側端夫々から垂下し、上蓋（３）と略平行な下辺を有するリブ状のフラップ（３２）が形成されており、フラップ（３２）は上蓋（３）が閉蓋される時に箱体の側壁（５）内側に挿入される。
フラップ（３２）を備えることで、梱包ケース（１）の強度、密閉性を向上させることができる。
【００２１】
フラップ（３２）の後端部には、フラップ（３２）の下辺より下方に突出する突出部（３２１）が、前方から後方に向けて下方に傾斜して延設されている。
【００２２】
上蓋（３）が起立している状態（図３の状態）で突出部（３２１）は側壁（５）の内側に位置するので、上蓋（３）を閉蓋する時に、突出部（３２１）を側壁（５）の内側に引っ掛け、フラップ（３２）を側壁（５）に倣わせて側壁（５）内側へ挿入することができるので、封緘作業を容易に行うことができる。
【００２３】
梱包ケース（１）は、内部に取り扱い説明書等の薄型の物品（Ａ）を載置する内蓋（６）を有している。
図１、３に示すように、内蓋（６）はシート材（１０）の一部（図２参照）を前方壁（４）の上端でのみ折り曲げられて形成され、後方に向かって下方に傾斜して配置されている。
【００２４】
内蓋（６）を傾斜させて配置することにより、図３に示すように内蓋（６）の後部を深くすることができるので、内蓋（６）には取扱説明書等の薄型のものだけでなく、例えばＣＤケースのような厚みを有する物品（Ａ）を載置して梱包ケース（１）に被梱包物（Ｍ）と同梱することができる。
【００２５】
また、内蓋（６）は、シート材（１０）の一部を折り曲げて形成されるが、傾斜していることによって一度の折り曲げ工程で形成することができるので、従来あるような複数回折り返して水平に配置される内蓋に比して容易に組み立てることができる。
【００２６】
図４には、内蓋（６）を開放した状態の平面図を示す。
内蓋（６）の下方には、図３、４に示すように内壁（７）が折り曲げられて配置されている。
図２に示すように内壁（７）は、その一辺が側壁（５）に対して傾斜しており、梱包ケース（１）を組み立てた時に、図３に示すように前方から後方に向かって下方に傾斜している。
内蓋（６）は、内壁（７）に支持されるので安定して物品（Ａ）を載置できる。
【００２７】
なお、内壁（７）の配置は特に限定されないが、例えば図４に示すように平面視において、両側壁（５）を夫々底辺とし頂角が対向しあう２つの二等辺三角形状に配置すれば、内壁（７）は、２つの頂点の間に被梱包物（Ｍ）を固定し衝撃や振動から保護する緩衝材となることもできる。
また、内蓋（６）の支持手段は、内壁（７）に限定されるものではなく、例えば側壁（５）に切り欠きを設けて内側に折り返したもの等であっても良い。
【００２８】
内蓋（６）の先端部には、その両端に側壁（５）に接する掛止突起（６１）が突設されていることが好ましい。
内蓋（６）は、シート材（１０）を折り曲げることによって形成されているので、元の状態に開こうとして浮き上がるが、掛止突起（６１）が側壁（５）に接することで、掛止突起（６１）と側壁（５）の摩擦により内蓋（６）の浮き上がりを防止できる。
そのため、梱包ケース（１）を容易に組み立てることができ、内蓋（６）が封緘作業の妨げとなることもない。
また、上蓋（３）を閉蓋した時にフラップ（３２）が挿入されると、フラップ（３２）で掛止突起（６１）を押えることができるので、内蓋（６）をさらに安定させて梱包することができる。
【００２９】
なお、掛止突起（６１）の形状は、本実施形態では片角をＲ面取りした略方形をしているがこれに限定されず、掛止突起（６１）の先端が側壁（５）に接していれば良く、例えば両角をＲ面取りした矩形としていても良いし、半円形としても良い。
【００３０】
内蓋（６）の先端部、中央部分には左右方向を長辺とする略矩形の切欠き（６２）が設けられていることが好ましい。
梱包ケース（１）を開梱する時に、内蓋（６）を開くための取っ手とすることができ、開梱作業が容易になるからである。
【産業上の利用可能性】
【００３１】
本発明は、シート材によって形成され、内部に物品を載置する内蓋を有する梱包ケースに対して利用されるものである。
【符号の説明】
【００３２】
１      梱包ケース
１０    シート材
２      後方壁
３      上蓋
３２    フラップ
３２１  突出部
４      前方壁
５      側壁
６      内蓋
６１    掛止突起
Ａ      物品
Ｍ      被梱包物
【図１】
2010208661.tif 000003
【図２】
2010208661.tif 000004
【図３】
2010208661.tif 000005
【図４】
2010208661.tif 000006